(57)【要約】【課題】    本発明は、自動車のドライバーや工場の機械または装置の計器を監視する者が、大きな監視負担を負うことなく計器を監視することができ、自動車、工場の機械、あるいは装置の運転状態を容易に把握できるようにした計器を提供するものである。【解決手段】  物理量を表示する計器において、色彩の変化により物理量を表示するようにすることにより、その物理量の大まかな範囲を人間の持つ視覚によって直感的に認識することが可能となり、自動車、工場の機械、あるいは装置の運転状態を、大きな監視負担を負うことなく容易に把握できるようになる。【選択図】  図4
2006053065.tif 000002
【特許請求の範囲】
【請求項１】
物理量を表示する計器において、色彩の変化により当該物理量を表示する手段を備えたことを特徴とする計器。
【請求項２】
物理量を表示する計器において、色彩の変化により当該物理量を表示する手段と、アナログ式またはデジタル式の当該物理量を表示する手段とを備えたことを特徴とする計器。
【請求項３】
請求項1又は2に記載する物理量を表示する計器において、色彩の変化に併せて当該色彩の輝度を変化させることを特徴とする計器。
【請求項４】
請求項1から3のいずれかに記載する物理量を表示する計器において、色彩の変化に併せて当該色彩による表示部を点滅させることを特徴とする計器。
【請求項５】
請求項1から4のいずれかに記載する物理量を表示する計器において、色彩の変化のしかたを自由に調節可能としたことを特徴とする計器。
【請求項６】
物理量を表示する計器の物理量表示方法において、色彩の変化により当該物理量を表示することを特徴とする計器の物理量表示方法。
【請求項７】
物理量を表示する計器の物理量表示方法において、色彩の変化により当該物理量を表示する方法と、アナログ式またはデジタル式の当該物理量を表示する方法とを併用したことを特徴とする計器の物理量表示方法。
【発明の詳細な説明】
【技術分野】
【０００１】
本発明は、自動車等の乗り物の他、一般産業機械や装置に使用される計器に係り、更に詳細には、温度、圧力、残量、速度、力、電圧、電流、時間等の物理量を表示するために使用される計器に関するものである。
【背景技術】
【０００２】
従来、特定の物理量を表示する計器においては、その測定された値が予め設定された値(以下閾値という)になった場合に、計器の表示部の色彩を変化させることは公知である。
【０００３】
例えば、指針によるアナログ表示方式を採用した計器であって、その指針表示部が照明されているような場合、表示される値がある閾値を超えた場合、指針表示部の色彩を変化させることは公知である。
【０００４】
また、カラーの液晶ディスプレイを使用した計器であって、アナログ式またはディジタル式の表示システムを採用した計器においても、表示される値がある閾値を超えた場合、ディスプレイの背景部全面または指針表示部の色彩を変化させて、計器を監視する者の注意を引くようにした例がある。
【０００５】
このような、色彩を変化させることのできる計器は、例えば自動車のコンビネーション計器(速度、エンジン回転数、燃料の残量、累積走行距離等を示す計器)等において利用されており、ドライバーが自動車の臨界的な運転状態を感知し易いようにしたものである。
【０００６】
更に、デザイン的要素を高めるために、計器の照明装置の光を多色に変化させることができ、かつその変化のための調整制御を容易にした多色発光照明装置やその光源の輝度を制御する方法も提案されている。
【特許文献１】特開2004-093311号
【特許文献２】特開2004-144547号
【発明の開示】
【発明が解決しようとする課題】
【０００７】
しかしながら、自動車のドライバーや工場の機械または装置の計器を監視する必要がある者にとって、計器を常に監視し、各物理量がどのような状態にあるかということを把握する場合に、各物理量の数値をそのまま認識するようにすることは、大きな監視負担となる。特に、監視対象となる計器の数が多くなるに従って、この負担は大きくなる。
【０００８】
また、特定の物理量がある閾値を超えた場合に、突然色彩が変化する等した場合には、冷静に対処することができない場合も生じる。
【０００９】
更に、自動車のドライバーや工場の機械または装置の計器を監視する者にとって、計器が指し示す物理量を定量的に把握して、自動車、機械または装置の運転状態を把握することは必ずしも必要はなく、「許容範囲の半分程度である」とか、または「許容範囲の3/4程度である」ということが認識できれば十分な場合も多い。
【００１０】
本発明は、係る観点からなされた発明であり、自動車のドライバーや工場の機械または装置の計器を監視する者が、大きな監視負担を負うことなく計器を監視することができ、自動車、工場の機械、あるいは装置の運転状態を容易に把握できるようにした計器を提供するものである。
【課題を解決するための手段】
【００１１】
以上のような課題を解決するため、請求項１に記載する発明においては、物理量を表示する計器であって、色彩の変化により物理量を表示する手段を利用した計器とした。
【００１２】
このように色彩の変化で物理量を表現することにより、その物理量の大まかな範囲を人間の持つ視覚によって直感的に認識することができると共に、無意識で計器を見ている場合であっても、色彩感覚でその計器の示す物理量が問題のない安全な範囲に入っているかどうかを直感的に識別することが可能となる。
【００１３】
従って自動車のドライバーや工場の機械または装置の計器を監視する者は、自動車、工場の機械、あるいは装置の運転状態を、大きな監視負担を負うことなく容易に把握できるようになる。
【００１４】
また、この物理量は色彩を段階的に変化させて認識できるようにしたものであるため、計器が突然に臨界的な運転状態を示すようなことはなく、自動車のドライバーや工場の機械または装置の計器を監視する者は、冷静に自動車、工場の機械または装置を運転することが可能となる。
【００１５】
また、請求項2に記載する発明においては、物理量を表示する計器であって、色彩の変化により物理量を表示する手段と、アナログ式またはデジタル式の物理量を表示する手段とを併用した計器とした。
【００１６】
このようにすることにより、物理量を何段階かに分けて表示した色彩によって、その物理量の大まかな範囲を人間の持つ視覚によって直感的に認識することが可能となると共に、アナログ式またはデジタル式の物理量を表示する手段によっても、特定の物理量を定量的に把握することが可能となる。従って、計器を監視する者は、色彩でその物理量を判断するか、またはアナログ式またはデジタル式の物理量を表示する手段によってその物理量を判断するか、必要に応じて選択することができる。
【００１７】
また、請求項3に記載する発明においては、請求項1又は2に記載する物理量を表示する計器であって、色彩の変化に併せて色彩の輝度を変化させることが可能な計器とした。
【００１８】
このようにすることにより、例えば、計測する物理量が大きくなるに従い、色彩の表示部分の輝度を上げていくことができ、計器を監視する者がその物理量の状態を、より把握し易くすることができる。
【００１９】
また、請求項4に記載する発明においては、請求項1から3のいずれかに記載する物理量を表示する計器であって、色彩の変化に併せて色彩による表示部を点滅させることが可能な計器とした。
【００２０】
このようにすることにより、計測する物理量が所定の閾値を超えた場合に、色彩による表示部を点滅させることにより、計器を監視する者がその物理量が臨界的な状態にあることを、より把握し易くすることができる。
【００２１】
また、請求項5に記載する発明においては、請求項1から4のいずれかに記載する物理量を表示する計器であって、色彩の変化のしかたを自由に調節可能な計器とした。
【００２２】
このようにすることにより、計器を監視する者は、監視対象である物理量を把握し易いように、色彩の変化する順番や、特定の色彩が示す物理量の範囲を自由に設定することが可能となる。
【００２３】
また、請求項6に記載した方法発明においては次のような構成とした。
【００２４】
すなわち、物理量を表示する計器の物理量表示方法であって、色彩の変化により物理量を表示する物理量の表示方法を採用した。
【００２５】
このようにすることにより、物理量を何段階かに分けて表示した色彩によって、その物理量の大まかな範囲を人間の持つ視覚によって直感的に認識することが可能となり、自動車、工場の機械、あるいは装置の運転状態を、大きな監視負担を負うことなく容易に把握できるようになる。
【００２６】
また、請求項7に記載した方法発明においては次のような構成とした。
【００２７】
すなわち、物理量を表示する計器の物理量表示方法であって、色彩の変化により物理量を表示する方法と、アナログ式またはデジタル式の物理量を表示する方法とを併用した物理量の表示方法を採用した。
【００２８】
このようにすることにより、物理量を何段階かに分けて表示した色彩によって、その物理量の大まかな範囲を人間の持つ視覚によって直感的に認識することが可能となると共に、アナログ式またはデジタル式の物理量を表示する方法によっても、特定の物理量を定量的に把握することが可能となる。
【発明の効果】
【００２９】
色彩の変化で物理量を表現することにより、その物理量の大まかな範囲を人間の持つ視覚によって直感的に認識することができると共に、無意識で計器を見ている場合であっても、色彩感覚でその計器の示す物理量が問題のない安全な範囲に入っているかどうかを直感的に識別することが可能となる。従って自動車のドライバーや工場の機械または装置等の計器を監視する者は自動車、工場の機械、あるいは装置等の運転状態を、大きな監視負担を負うことなく容易に把握できるようになる。
【００３０】
また、この物理量は色彩を段階的に変化させて認識できるようにしたものであるため、計器が突然に臨界的な運転状態を示すようなことはなく、自動車のドライバーや工場の機械または装置の計器を監視する者は、冷静に自動車、工場の機械または装置を運転することが可能となる。
【００３１】
また、物理量を何段階かに分けて色彩により物理量を表示する手段と、アナログ式またはデジタル式の物理量を表示する手段を併用することによって、特定の物理量を定量的にかつ容易に把握することが可能となる。
【００３２】
更に、計測する物理量が大きくなるに従い、色彩の表示部分の輝度を上げていくことにより、計器を監視する者がその物理量の状態を、より把握し易くすることが可能となる。
【００３３】
また、計測する物理量が所定の閾値を超えた場合に、色彩による表示部を点滅させることにより、計器を監視する者がその物理量が臨界的な状態にあることを、より把握し易くすることが可能となる。
【００３４】
また、色彩の変化のしかたを自由に調節できる計器とすることにより、計器を監視する者は、監視対象である物理量を把握し易いように、色彩の変化する順番や、特定の色彩が示す物理量の範囲を自由に設定することが可能となる。
【発明を実施するための最良の形態】
【００３５】
以下、本願発明である「色彩の変化を利用した物理量を表示する計器」に関する実施例について更に詳細に説明する。
【００３６】
図1は、色彩のみを利用した機械装置の温度、圧力、および電流を監視するための計器2(第一の実施例)を例示したものである。図1の計器には温度、圧力、および電流値を表示するための領域21, 22, 23が設けられており、これらの領域は時々刻々変化する物理量を色彩により表示するための表示領域となる。
【００３７】
例えば、温度の表示レンジが0℃から80℃までの範囲である場合、これを8等分して0℃から10℃までを紫色、10℃から20℃までを青色、20℃から30℃までを青緑色、30℃から40℃までを緑色、40℃から50℃までを黄緑色、50℃から60℃までを黄色、60℃から70℃までを橙色、70℃から80℃までを赤色として定め、温度の測定値が対応する色彩を上述した表示領域21, 22, 23の全体に表示する。
【００３８】
このように表示することにより、監視する物理量が現在どの範囲にあるかということが、表示された色彩により直ちに判別することが可能になり、指針の目盛りを読み取って物理量を把握する場合に比べて、計器を監視する者の負担を大きく軽減することができるようになる。
【００３９】
図1に示した計器の温度以外の物理量である圧力や電流についても、温度の場合と同様な方法でそれぞれの物理量を表示することができる。
【００４０】
図1に示すような計器は、カラーの液晶ディスプレイを使用しても実現できるが、発光ダイオードを使用した計器盤によっても実現できる。発光ダイオードを使用した計器盤の場合、前述した表示領域に光を透過する透過板を置き、その裏側に青色、緑色、赤色に発光する3個の発光ダイオードを配置し、この3個の発光ダイオードの光量を制御して種々の色彩を作り出すことができる。
【００４１】
図2は、色彩とアナログ式計器を組み合わせた自動車のコンビネーション計器1(第二の実施例)を例示したものである。この計器には、速度メータ11、エンジン回転メータ12、および燃料残量メータ13が表示されている。この種の計器はカラーの液晶ディスプレイを使用しても実現できるが、照明を利用した機械式の計器盤によっても実現できる。
【００４２】
速度メータ11の部分について説明すると、計測された速度は速度メータ11の目盛り盤16と指針14とによってアナログ的に速度の大きさが表示される。
【００４３】
また、計測した速度の大きさに従って、指針14の中央部分の色彩、または目盛り盤16全体の色彩を変化させることによっても速度の大きさを表示することが可能になり、色彩とアナログ式の指針の両者によって、速度の状態を表示することが可能になる。
【００４４】
例えば、速度の表示レンジが0 Km/hから150 Km/hの範囲である場合、これを0 Km/hから20 Km/hまでを紫色、20 Km/hから30 Km/hまでを青色、30 Km/hから40 Km/hまでを青緑色、40 Km/hから50 Km/hまでを緑色、60 Km/hから80 Km/hまでを黄緑色、80 Km/hから100 Km/hまでを黄色、100 Km/hから120 Km/hまでを橙色、120 Km/hから150 Km/hまでを赤色として定め、速度の測定値に対応した色彩を上述した指針14の中央部分、または目盛り盤16全体の色彩として表示する。
【００４５】
このように表示することにより、自動車のドライバーが現在どの速度範囲で自動車が走行しているかということについて、計器盤の目盛りを読み取るまでもなく色彩により直ちに判別することが可能になり、ドライバーの監視負担を大きく軽減することができるようになる。
【００４６】
カラーの液晶ディスプレイを使用した場合、色彩を変化させる方法は特に説明を必要とはしないが、照明を利用した機械式の計器盤の場合、実施例1において説明した方法と同様、計器盤の下に光透過板を置き、その裏側に青色、緑色、赤色に発光する3個の発光ダイオードを配置して、3個の発光ダイオードの光量を制御することにより種々の色彩を作り出すことができる。また、指針へこの色彩光を導くために、導光管やミラーを利用することもできる。
【００４７】
図3(第三の実施例)、および図4(第四の実施例)は、色彩とアナログ式計器を組み合わせた計器のその他の例を示したものである。図3は表示する物理量が一つだけの場合の計器の例を示したものであり、図4は表示する物理量が3つの場合の計器の例を示したものである。
【００４８】
これらの実施例においては、表示する物理量の全レンジを複数のブロックに分け、各ブロックの色彩を予め設定し、測定した物理量の大きさに従って、各色彩を表示していく方法をとったものである(図3、および図4のハッチングを施した部分は、複数の異なった色彩が表示されている部分である。)。したがって、色彩表示部に目盛りを付しておくことにより、色彩とアナログ式計器を組み合わせた計器として利用することもできる。
【００４９】
また、実施例3および4として説明した計器においては、表示する物理量の全レンジを複数のブロックに分け、各ブロックの色彩を順次変えて表示する方法を示したが、このようなブロックに分けず、色彩表示部全体を一つの色彩として表示するようにしてもよい。この場合、測定された物理量の大きさに比例して色彩表示部の長さが変化すると共に、表示される一つの色彩は、その物理量の大きさに応じて順次変化していくことになる。
【００５０】
なお、これまで説明した実施例1から実施例4においては、物理量の大きさに対応させて色彩表示部の輝度を変化させることもできる。例えば、物理量に比例させて色彩表示部の輝度を上げていくことにより、計器を監視する者がその物理量の状態を、より把握し易くすることが可能となる。
【００５１】
また、計測する物理量が所定の閾値を超えた場合に、色彩による表示部を点滅させるようにしても良い。このようにすれば計器を監視する者がその物理量が臨界的な状態にあることを、より把握し易くすることができる。
【００５２】
更に、物理量を表示する計器の色彩の変化のしかたを自由に調節可能なようにすることもできる。
【００５３】
このようにすることにより、計器を監視する者は、監視対象である物理量を把握し易いように、色彩の変化する順番や、特定の色彩が示す物理量の範囲を自由に設定することができる。
【図面の簡単な説明】
【００５４】
【図１】図1は、本発明に係る第一の実施例の計器を示した図である。
【図２】図２は、本発明に係る第二の実施例の計器を示した図である。
【図３】図３は、本発明に係る第三の実施例の計器を示した図である。
【図４】図４は、本発明に係る第四の実施例の計器を示した図である。
【符号の説明】
【００５５】
11            速度メータ
12            エンジン回転メータ
13            燃料残量メータ
14            指針
15            指針
16            目盛り盤
21〜23        色彩表示領域
31〜36        色彩表示ブロック
41〜43        色彩表示領域
【図１】
2006053065.tif 000003
【図２】
2006053065.tif 000004
【図３】
2006053065.tif 000005
【図４】
2006053065.tif 000006